(57)【要約】【課題】ユーザの煩わしさを低減しつつ電力消費を低減することが可能な無線通信装置を提供する。【解決手段】本発明の一実施形態に係る無線通信装置１１は、他の無線通信装置１２，１３と通信リンクを接続して無線通信する無線通信手段と、無線通信手段が他の無線通信装置１２，１３と通信リンクを接続していない場合に、無線通信可能な他の無線通信装置１２が存在するか否かの存否判断を行う存否判断手段と、無線通信可能な他の無線通信装置１２が存在しないと存否判断手段が判断したときは電源を切断し、存在すると判断したときに電源を切断しないように制御する電源制御手段とを備える。【選択図】図１
2008124745.tif 000002
【特許請求の範囲】
【請求項１】
他の無線通信装置と通信リンクを接続して無線通信する無線通信手段と、
前記無線通信手段が前記他の無線通信装置と通信リンクを接続していない場合に、無線通信可能な他の無線通信装置が存在するか否かの存否判断を行う存否判断手段と、
前記無線通信可能な他の無線通信装置が存在しないと前記存否判断手段が判断したときは電源を切断し、存在すると判断したときに電源を切断しないように制御する電源制御手段と、
を備える、無線通信装置。
【請求項２】
前記存否判断手段は、前記無線通信可能な他の無線通信装置としてのペアリング済みの他の無線通信装置が無線通信範囲内に存在するか否かによって前記存否判断を行うことを特徴とする、
請求項１に記載の無線通信装置。
【請求項３】
前記ペアリング済みの他の無線通信装置を含む前記他の無線通信装置の情報の取得処理を、前記無線通信手段を介して行う情報取得手段を更に有し、
前記存否判断手段は、前記情報取得手段により行なわれた前記情報の取得処理の結果を用いて前記存否判断を行うことを特徴とする、
請求項２に記載の無線通信装置。
【請求項４】
前記ペアリング済みの他の無線通信装置との通信リンクの接続処理を、前記無線通信手段を介して行う通信リンク接続手段を更に有し、
前記存否判断手段は、前記通信リンク接続手段により行なわれた前記通信リンクの接続処理の結果を用いて前記存否判断を行うことを特徴とする、
請求項２に記載の無線通信装置。
【請求項５】
前記存否判断手段は、前記無線通信可能な他の無線通信装置が存在すると判断したときには所定時間経過後に再び前記存否判断を行うことを特徴とする、
請求項１〜４の何れか一項に記載の無線通信装置。
【請求項６】
Ｂｌｕｅｔｏｏｔｈによる無線通信を行うように構成されていることを特徴とする、請求項１〜５の何れか一項に記載の無線通信装置。
【請求項７】
他の無線通信装置と通信リンクを接続して無線通信する無線通信手段が該他の無線通信装置と通信リンクを接続していない場合に、無線通信可能な他の無線通信装置が存在するか否かの存否判断を行い、
前記無線通信可能な他の無線通信装置が存在しないと前記存否判断において判断したときは電源を切断し、存在すると判断したときに電源を切断しないように制御する、
無線通信装置の電源制御方法。
【請求項８】
前記存否判断において、ペアリング済みの他の無線通信装置が無線通信範囲内に存在するか否かを判断することを特徴とする、
請求項７に記載の無線通信装置の電源制御方法。
【発明の詳細な説明】
【技術分野】
【０００１】
本発明は、無線通信装置及び無線通信装置の電源制御方法に関するものである。
【背景技術】
【０００２】
近年、パーソナルコンピュータと周辺機器や、オーディオプレーヤとワイヤレススピーカ（又はワイヤレスイヤホン）などの通信機器において、Ｂｌｕｅｔｏｏｔｈ（登録商標）などの無線通信方式によってデータ通信を行うことが知られている。この種の通信機器によりデータ通信を行う場合、例えば、ワイヤレススピーカが、オーディオプレーヤから音楽データを受信していないとき、すなわちオーディオプレーヤと通信のリンクが存在しないときには、無駄な電力消費を抑えるために通信機器の電源を自動的にオフにすることが好ましい。このように、無駄な電力消費を抑えるために通信機器の電源を自動的にオフにする技術は、例えば特許文献１に開示されている。
【特許文献１】特開２００６−１１５１６６号公報
【発明の開示】
【発明が解決しようとする課題】
【０００３】
しかしながら、特許文献１に記載の技術のように、ワイヤレススピーカが自動的に電源をオフにすると、ユーザが意図しない状態で電源がオフになってしまう。すると、ユーザは、再びワイヤレススピーカを利用しようとする際に、電源を再びオンにしなければならず、そのための電源操作が煩わしかった。
【０００４】
そこで、本発明は上記問題点を解決するためになされたもので、ユーザの煩わしさを低減しつつ電力消費を低減することが可能な無線通信装置及び無線通信装置の電源制御方法を提供することを目的としている。
【課題を解決するための手段】
【０００５】
上記課題を解決するため、本発明の無線通信装置は、他の無線通信装置と通信リンクを接続して無線通信する無線通信手段と、無線通信手段が他の無線通信装置と通信リンクを接続していない場合に、無線通信可能な他の無線通信装置が存在するか否かの存否判断を行う存否判断手段と、無線通信可能な他の無線通信装置が存在しないと存否判断手段が判断したときは電源を切断し、存在すると判断したときに電源を切断しないように制御する電源制御手段とを備える。
【０００６】
また、本発明の無線通信装置の電源制御方法は、他の無線通信装置と通信リンクを接続して無線通信する無線通信手段が他の無線通信装置と通信リンクを接続していない場合に、無線通信可能な他の無線通信装置が存在するか否かの存否判断を行い、無線通信可能な他の無線通信装置が存在しないと存否判断において判断したときは電源を切断し、存在すると判断したときに電源を切断しないように制御する。
【発明の効果】
【０００７】
本発明によれば、ユーザの煩わしさを低減しつつ電力消費を低減することが可能な無線通信装置及び無線通信装置の電源制御方法が得られる。
【発明を実施するための最良の形態】
【０００８】
以下、図面を参照して本発明の好適な実施形態について詳細に説明する。なお、各図面において同一又は相当の部分に対しては同一の符号を附すこととする。
【０００９】
図１及び図２は、本発明の実施形態に係る無線通信装置によって構成される無線通信システムの構成を示す図である。図１及び図２に示す無線通信システム１は、本発明の実施形態に係る無線通信装置１１と、この無線通信装置１１とＢｌｕｅｔｏｏｔｈ方式による無線通信を行うことが可能な他の無線通信装置１２，１３とを備えている。
【００１０】
なお、無線通信装置１１は、無線通信装置１２と無線通信を行うためのペアリングＰがなされているため、無線通信装置１１と無線通信装置１２とは相互に認証済みで接続可能な状態にあるが、無線通信装置１１と無線通信装置１３とはペアリングがなされていないものとする。ペアリングは最初の接続時に行われ、一度ペアリングが行われるとペアリング済みであることを示すリンクキーがペアリング済みの無線通信装置それぞれに保持される。したがって、本実施形態では、無線通信装置１１は無線通信装置１２とペアリング済みであることを示すリンクキーを保持しており、無線通信装置１２もまた無線通信装置１１とペアリング済みであることを示すリンクキーを保持しているものとする。即ち、ペアリング済みである無線通信装置１２は無線通信装置１１と無線接続する蓋然性の高い装置と考えることができるが、ペアリング済みでない無線通信装置１３は無線通信装置１１と無線接続する蓋然性が低い装置であると考えることができる。
【００１１】
図１では、無線通信装置１１の無線通信可能な無線通信範囲１４内に、無線通信装置１２，１３が存在している。一方、図２では、無線通信装置１３は無線通信範囲１４内に存在しているが、無線通信装置１２は無線通信範囲１４外に存在している。
【００１２】
図３は、本発明の実施形態に係る無線通信装置１１の電気的な構成を示す回路図である。なお、他の無線通信装置１２の電気的な構成も同様に考えられる。無線通信装置１１と無線通信装置１２とは、それぞれＣＰＵ（Central Processing Unit）２１及び各種アプリケーションのためのプログラムを記憶するメモリ２２を備えており、ＣＰＵ２１によってメモリ２２に記憶されたプログラムを実行する。また、無線通信装置１１と無線通信装置１２とは、それぞれ、他の無線通信装置と通信リンクを接続して無線通信するＢｌｕｅｔｏｏｔｈ通信Ｉ／Ｆ（インターフェース）２３を備えている。図１に示すように、無線通信装置１１と無線通信装置１２とは、ＢｌｕｅｔｏｏｔｈにおけるＡＣＬ（Asynchronous Connectionless Link）といったデータ通信用のリンク、又はＳＣＯ（Synchronous ConnectionOriented Link）といった音声通信用のリンクをＢｌｕｅｔｏｏｔｈ通信Ｉ／Ｆ２３を介して張ることで通信を行い、各種アプリケーションを作動させる。
【００１３】
ここで、無線通信装置１１がワイヤレススピーカであり、無線通信装置１２がオーディオプレーヤである場合を例示する。この場合、Ａ２ＤＰ（Advanced Audio Distribution Profile）といった音楽ストリーミング機能により、オーディオプレーヤとしての無線通信装置１２が音楽データを送信し、ワイヤレススピーカとしての無線通信装置１１がこの音楽データを受信して音楽を再生し、スピーカなどの出力部２４から出力する。
【００１４】
無線通信装置１２が音楽の再生を停止した場合、音楽ストリーミング機能による音楽データを送信する必要がなくなるために、双方の間に張られていたデータ通信用のリンクは切断される。また、無線通信装置１２が電源オフとなった場合にも、双方の間に張られていた通信リンクが切断される。その後、無線通信装置１１であるワイヤレススピーカ１１では、ＣＰＵ２１が存否判断手段、電源制御手段及び情報取得手段として機能し、オートパワーオフ処理が実行される。
【００１５】
以下では、無線通信装置１１のオートパワーオフ処理を詳細に説明すると共に、本実施形態に係る無線通信装置の電源制御方法を説明する。図４は、無線通信装置１１のオートパワーオフ処理を示すフローチャートである。
【００１６】
無線通信装置１１は、無線通信装置１２からの音楽データの送信が停止され、無線通信装置１２と無線通信を行うための通信リンクが切断された後、すなわち無線通信装置１２と通信リンクを接続していない場合に、予めシステムによって任意に設定されたパワーオフが実行されるまでのオートパワーオフタイマーを設定する（Ｓ０１）。このオートパワーオフタイマーの値は時間の経過とともに減少する。
【００１７】
次に、無線通信装置１１は、オートパワーオフタイマーが満了したか否か、すなわちオートパワーオフタイマーがゼロとなったか否かを判断する（Ｓ０２）。オートパワーオフタイマーが満了していないと判断した場合には、再びＳ０２に戻り、オートパワーオフタイマーが満了したか否かの判断を継続する。
（情報取得工程）
【００１８】
一方、オートパワーオフタイマーが満了したと判断された場合には、無線通信装置１１におけるＣＰＵ２１が情報取得手段として機能し、Ｉｎｑｕｉｒｙ（情報取得処理）を実行して、無線通信範囲１４内にあるペアリング済みの無線通信装置１２を含む他の無線通信装置１２，１３の情報をＢｌｕｅｔｏｏｔｈ通信Ｉ／Ｆ２３を介して取得する（Ｓ０３）。尚、Ｂｌｕｅｔｏｏｔｈ通信においてＩｎｑｕｉｒｙは周辺に存在する装置をスキャンするために送信するコマンドであり、Ｉｎｑｕｉｒｙを受信した装置（例えば、他の無線通信装置１２、１３）は、其々自身のアドレス（ＢＤ−ＡＤＤＲ、各Ｂｌｕｅｔｏｏｔｈデバイスに固有に与えられる４８ビットのアドレス）を返信する。
（存否判断工程）
【００１９】
その後、ＣＰＵ２１が存否判断手段として機能し、Ｓ０３におけるＩｎｑｕｉｒｙの結果を用いて無線通信可能な状態にある無線通信装置が存在するか否かの存否判断を行う。具体的には、Ｉｎｑｕｉｒｙによって取得したアドレス情報を参照し、当該アドレスを有する装置とペアリング済みであるか否かを判断することにより、既にペアリング済みの無線通信装置が存在するか否かを判断する（Ｓ０４）。
【００２０】
ペアリング済みの無線通信装置が存在すると判断した場合、すなわち図１に示すようにペアリング済みの無線通信装置１２が無線通信装置１１の無線通信範囲１４内に存在する場合には、再び無線通信装置１２との通信が今後も再開される可能性が高いとみなすことができる。
【００２１】
一方、ペアリング済みの無線通信装置が存在しないと判断された場合、すなわち図２に示すようにペアリング済みの無線通信装置１２が無線通信装置１１の無線通信範囲１４内には存在しない場合や、図１の状態で無線通信装置１２の電源がオフになっているなどして無線通信ができない状態になっているような場合には、今後、無線通信装置１２との無線通信が再開される可能性が低く、無線通信を行う必要がないものとみなすことができる。
（電源制御工程）
【００２２】
そこで、存否判断手段によってペアリング済みの無線通信装置１２が無線通信装置１１の無線通信範囲１４内に存在すると判断された場合には、ＣＰＵ２１が電源制御手段として機能し、パワーオフ処理を実行せず、再びＳ０１に戻り、オートパワーオフタイマーを初期値に設定する。一方、存否判断手段によってペアリング済みの無線通信装置１２が無線通信装置１１の無線通信範囲１４内に存在しないと判断した場合には、ＣＰＵ２１が電源制御手段として機能し、パワーオフを実行することによって、自身の電源をオフにする（Ｓ０５）。
【００２３】
このように、本実施形態の無線通信装置１１及び無線通信装置の電源制御方法によれば、ＣＰＵ２１が存否判断手段として機能して無線通信可能（ペアリング済み）状態にある無線通信装置１２が存在するか否かの存否判断を行い、無線通信可能な無線通信装置１２が存在しないと判断したときにのみ、ＣＰＵ２１が電源制御手段として機能して電源を切断するようになっている。そのため、このような電源制御によって、再利用時のユーザの煩わしさを低減しつつ電力消費を低減することができるようになる。
【００２４】
換言すれば、本実施形態の無線通信装置１１及び無線通信装置の電源制御方法によれば、無線通信可能な無線通信装置１２が存在するときには、ＣＰＵ２１が電源制御手段として機能して、通信リンクが存在していない場合でも再び通信リンクが接続されてデータ通信が再開されることを自動的に予測して、自動的に電源をオフにすることを抑止することができる。その結果、ユーザが無線通信を行うアプリケーションを作動させたいと思った際に、無線通信装置１１の電源がオフになっていることで、すぐに無線通信のアプリケーションを作動させることが出来ないという事態を回避することが可能となり、ユーザの利便性を向上させることができる。
【００２５】
なお、本発明は上記した本実施形態に限定されることなく種々の変形が可能である。例えば、本実施形態ではペアリング済みの無線通信装置の有無に基づいて無線通信可能な無線通信装置の有無を判断していたが、Ｉｎｑｕｉｒｙに対する応答の有無により無線通信可能な無線通信装置の有無を判断するようにしても良い。
【００２６】
この他、無線通信装置１１〜１３とは別に無線通信装置が存在する場合や、無線通信装置１１がワイヤレススピーカでない場合、無線通信装置１２がオーディオプレーヤでない場合にも、本発明を適用可能である。
【００２７】
本実施形態では、通信可能な無線通信装置１２の存否判断を行うために、Ｉｎｑｕｉｒｙの結果を用いたが、Ｐａｇｉｎｇ（通信リンク接続処理）の結果を用いてもよい。図５は、変形例に係る無線通信装置のオートパワーオフ処理を示すフローチャートである。以下では、変形例に係る無線通信装置１１のオートパワーオフ処理を詳細に説明すると共に、本発明の変形例に係る無線通信装置の電源制御方法を説明する。
（通信リンク接続工程）
【００２８】
図５に示すように、オートパワーオフタイマーが満了したと判断された場合には、無線通信装置１１におけるＣＰＵ２１が通信リンク接続手段として機能し、Ｐａｇｉｎｇを実行して、ペアリング済みの無線通信装置１２への無線通信リンクの確立がＢｌｕｅｔｏｏｔｈ通信Ｉ／Ｆ２３を介して行われる（Ｓ１３）。
（存否判断工程）
【００２９】
その後、ＣＰＵ２１が存否判断手段として機能し、Ｓ１３におけるＰａｇｉｎｇの結果を用いて無線通信可能な状態にある無線通信装置が存在するか否かの存否判断を行う。具体的には、無線通信装置１２に対して無線通信リンクが確立できたか否かを判断する（Ｓ１４）。
【００３０】
無線通信リンクを確立できたと判断した場合、すなわち図１に示すようにペアリング済みの無線通信装置１２が無線通信装置１１の無線通信範囲１４内に存在する場合には、再び無線通信装置１２との通信が今後も再開される可能性が高いとみなすことができる。
【００３１】
一方、無線通信リンクが確立できなかったと判断された場合、すなわち図２に示すように無線通信装置１２が無線通信装置１１の無線通信範囲１４内に存在しない場合や、無線通信装置１２の電源がオフになっているなどして無線通信ができない状態になっているような場合には、今後、無線通信装置１２との無線通信が再開される可能性は低く、無線通信を行う必要がないものとみなすことができる。
（電源制御工程）
【００３２】
そこで、存否判断手段によってペアリング済みの無線通信装置１２が無線通信装置１１の無線通信範囲１４内に存在すると判断された場合には、ＣＰＵ２１が電源制御手段として機能し、パワーオフ処理を実行せず、確認のために接続した無線通信リンクが切断された後に（Ｓ１６）、再びＳ０１に戻り、オートパワーオフタイマーを初期値に設定する。一方、存否判断手段によってペアリング済みの無線通信装置１２が無線通信装置１１の無線通信範囲１４内に存在しないと判断された場合には、ＣＰＵ２１が電源制御手段として機能し、パワーオフを実行することによって、自身の電源をオフにする（Ｓ０５）。
【００３３】
また、本実施形態では、既にペアリング済みの無線通信装置１２が無線通信範囲１４内に存在する場合に通信再開の可能性が高いと判断して電源を切断しないように制御したが、未ペアリングの無線通信装置１２であっても無線通信範囲１４内に存在すればペアリングを行って通信する可能性があると判断して電源を切断しないように制御してもよい。
【００３４】
また、本実施形態及び変形例では、無線通信装置１１は、１つの無線通信装置１２に対する無線通信可能状態を判断することによって電源制御を行ったが、複数の無線通信装置に対する無線通信可能状態をそれぞれに判断することによって電源制御を行ってもよい。
【図面の簡単な説明】
【００３５】
【図１】本発明の実施形態に係る無線通信装置によって構成される無線通信システムの構成を示す図である。
【図２】本発明の実施形態に係る無線通信装置によって構成される無線通信システムの構成を示す図である。
【図３】本発明の実施形態に係る無線通信装置の電気的な構成を示す回路図である。
【図４】本発明の実施形態に係る無線通信装置のオートパワーオフ処理を示すフローチャートである。
【図５】本発明の変形例に係る無線通信装置のオートパワーオフ処理を示すフローチャートである。
【符号の説明】
【００３６】
１…無線通信システム、１１…無線通信装置、１２，１３…他の無線通信装置、１４…無線通信範囲、２１…ＣＰＵ（存否判断手段、電源制御手段、情報取得手段、通信リンク接続手段）、２２…メモリ、２３…Ｂｌｕｅｔｏｏｔｈ通信Ｉ／Ｆ（無線通信手段）、２４…出力部、Ｐ…ペアリング。
【図１】
2008124745.tif 000003
【図２】
2008124745.tif 000004
【図３】
2008124745.tif 000005
【図４】
2008124745.tif 000006
【図５】
2008124745.tif 000007